(57)【要約】【課題】２層の可撓性シートが相互に密着して構成されている袋において、それらの２層の可撓性シートを容易に引き離すことができる袋を提供する。【解決手段】一枚または複数枚の可撓性シートを重ね合わせることにより、可撓性シートが２層に密着している袋（１００）において、袋の開口部を形成する可撓性シートの端縁において、一方の可撓性シートが他方の可撓性シートに対して突出した領域（１１０）を有している。【選択図】図１
2007204069.tif 000002
【特許請求の範囲】
【請求項１】
一枚または複数枚の可撓性シートからなり、前記一枚の可撓性シートを折ることにより、または、前記複数枚の可撓性シートを重ね合わせることにより、前記可撓性シートが２層に密着している袋において、
前記袋の開口部を形成する前記可撓性シートの端縁において、２層に密着している前記可撓性シートの少なくとも一部が相互に非対称の形状に形成されていることを特徴とする袋。
【請求項２】
２層に密着している前記可撓性シートのうちの一方の可撓性シートが他方の可撓性シートに対して突出した領域を有していることを特徴とする請求項１に記載の袋。
【請求項３】
２層に密着している前記可撓性シートのうちの一方の可撓性シートが他方の可撓性シートに対して切り欠いた領域を有していることを特徴とする請求項１に記載の袋。
【請求項４】
一枚または複数枚の可撓性シートからなり、前記一枚の可撓性シートを折ることにより、または、前記複数枚の可撓性シートを重ね合わせることにより、前記可撓性シートが２層に密着している袋において、
前記袋の外側表面に、他の領域よりも摩擦係数が大きい滑り止め領域が形成されていることを特徴とする袋。
【請求項５】
前記滑り止め領域は前記可撓性シートを熱処理した領域からなるものであることを特徴とする請求項４に記載の袋。
【請求項６】
前記滑り止め領域は前記可撓性シートに凹凸を施した領域からなるものであることを特徴とする請求項４に記載の袋。
【請求項７】
前記滑り止め領域は前記可撓性シートに前記可撓性シートの表面の粗度を高める塗料が塗布された領域からなるものであることを特徴とする請求項４に記載の袋。
【請求項８】
一枚または複数枚の可撓性シートからなり、前記一枚の可撓性シートを折ることにより、または、前記複数枚の可撓性シートを重ね合わせることにより、前記可撓性シートが２層に密着している袋において、
前記袋の内側表面に、静電気の発生を抑制する塗料が塗布された領域が形成されていることを特徴とする袋。
【請求項９】
一枚または複数枚の可撓性シートからなり、前記一枚の可撓性シートを折ることにより、または、前記複数枚の可撓性シートを重ね合わせることにより、前記可撓性シートが２層に密着している袋において、
２層に密着している前記可撓性シートのうちの一方の可撓性シートには、前記可撓性シートの一部を折り返した折り返し領域が形成されていることを特徴とする袋。
【請求項１０】
一枚または複数枚の可撓性シートからなり、前記一枚の可撓性シートを折ることにより、または、前記複数枚の可撓性シートを重ね合わせることにより、前記可撓性シートが２層に密着している袋であって、開口部を形成するための破断線が２層に密着している前記可撓性シートの双方に形成されている袋において、
２層に密着している前記可撓性シートのうちの一方の可撓性シートに形成されている前記破断線と他方の可撓性シートに形成されている前記破断線とは少なくとも一部において相互に重なり合わないように形成されていることを特徴とする袋。
【請求項１１】
一枚または複数枚の可撓性シートからなり、前記一枚の可撓性シートを折ることにより、または、前記複数枚の可撓性シートを重ね合わせることにより、前記可撓性シートが２層に密着している袋が破断線を介して連続的に形成されている袋の集合体であって、前記破断線が前記袋の開口部を形成するものである袋の集合体において、
２層に密着している前記可撓性シートのうちの一方の可撓性シートに形成されている前記破断線と他方の可撓性シートに形成されている前記破断線とは少なくとも一部において相互に重なり合わないように形成されていることを特徴とする袋の集合体。
【発明の詳細な説明】
【技術分野】
【０００１】
本発明は、袋、特に、一枚または複数枚の可撓性シートからなり、一枚の可撓性シートを折り重ねることにより、または、複数枚の可撓性シートを重ね合わせることにより、これらの可撓性シートが２層に密着している袋に関する。このような袋の典型例としては、スーパーマーケットなどで買い物をしたときに配布される、いわゆる「レジ袋」あるいは「買い物袋」と呼ばれる袋がある。
【背景技術】
【０００２】
図２１は、スーパーマーケットなどで買い物をしたときに配布されるレジ袋５０００（あるいは、「買い物袋」とも呼ばれる）の平面図、図２２は図２１のＡ−Ａ線における断面図である。
【０００３】
レジ袋５０００はポリエチレン（ＰＥ）、ポリプロピレン（ＰＰ）その他の樹脂からつくられている。
【０００４】
また、図２２に示すように、レジ袋５０００は、全体としては１枚の樹脂製の薄い可撓性シートを２層に折り重ねることにより形成されている。すなわち、図２２に示すように、レジ袋５０００は可撓性シート５００１、５００２が２層に重なり合うことにより形成されている。
【０００５】
あるいは、レジ袋５０００は、２枚の樹脂製の薄い可撓性シートを相互に重ね合わせることにより形成されることもある。
【０００６】
図２２に示すように、レジ袋５０００の左右の側部は樹脂製の可撓性シートが内側に折り込まれており、これにより、レジ袋５０００を広げたときのマチ（図２１の紙面と垂直な方向におけるレジ袋５０００の幅）を確保している。
【０００７】
図２１に示すように、レジ袋５０００は、荷物を入れる本体部５１００と、本体部５１００の左右両端の上方に形成された一対の把手部５２００と、本体部５１００の中央において本体部５１００から上方に突出して形成された連結部５３００と、を備えている。
【０００８】
本体部５１００の下端と一対の把手部５２００の各々の上端には熱処理による熱圧着ライン５４００が形成されており、この熱圧着ライン５４００を介して、２層の可撓性シート５００１、５００２（図２２参照）を相互に接合している。
【０００９】
レジ袋５０００の開口部５５００は、各把手部５２００の内側の外周縁、本体部５１００の上縁及び連結部５３００の外周縁に形成されている（明確に示すため、開口部５５００は太線で描いてある）。
【００１０】
レジ袋５０００は次のようにして使用される。
【００１１】
まず、２層に重なり合っている可撓性シート５００１、５００２（図２２参照）を相互に引き離し、開口部５５００を開口させる。
【００１２】
次いで、本体部５１００の内部に荷物を入れる。必要があれば、可撓性シート５００１側の連結部５３００と撓性シート５００２側の連結部５３００とを結び合わせ、開口部５５００を閉じ、本体部５１００の中の荷物がレジ袋５０００から出ないようにする。
【００１３】
図２３は、上記のレジ袋５０００に類似した構造を有する袋６０００の集合体としての袋ロール６５００の斜視図であり、図２４は、単体としての袋６０００の平面図である。
【００１４】
袋６０００はポリエチレンその他の樹脂からなる。図２４に示すように、袋６０００は、一枚の薄い樹脂製可撓性シートを２層に折って重ね合わせ、一端において、熱圧着ライン６１００を形成し、２層の樹脂製可撓性シートを相互に接合することにより、袋６０００の底部を形成し、他端は、相互に接合せずに、開口部６２００としている。
【００１５】
図２３に示すように、袋６０００はその長手方向Ｘ（開口部６２００が延びる方向と直角な方向）に連続して形成され、ロール状に巻かれ、袋ロール６５００を形成している。
【００１６】
図２３に示すように、各袋６０００の間には、破断線６３００が形成されており、破断線６３００に沿って破断することにより、一つの袋６０００を取り出すことができる。
【００１７】
破断線６３００は開口部６２００を規定しており、破断線６３００に沿って可撓性シートを破断すると、それと同時に、袋６０００の開口部６２００が形成される。
【００１８】
なお、このような袋６０００の集合体としての袋ロール６５００は、スーパーマーケットの青果売り場に置かれることが多く、袋６０００は野菜や果物を入れる袋として使われている。
【００１９】
先行技術文献中には、本発明の対象である上記のレジ袋５０００または袋６０００のような袋に関するものがないため、特許文献の表示は行わない。
【特許文献１】なし
【発明の開示】
【発明が解決しようとする課題】
【００２０】
図２１及び図２２に示したレジ袋５０００における２層の可撓性シート５００１、５００２は相互に密着しているため、これら２層の可撓性シート５００１、５００２を相互に引き離すことは、不可能ではないにしても、極めて面倒であり、時間がかかる作業となっているのが現状である。
【００２１】
非衛生的とは思いつつも、唾を付けた指で２層の可撓性シート５００１、５００２を相互に引き離した経験のない人は皆無に近いはずである。
【００２２】
同様のことが図２３及び図２４に示した袋６０００についても言える。
【００２３】
袋６０００を構成する２層の可撓性シートは相互に密着しているため、これら２層の可撓性シートを相互に引き離すことは極めて面倒であり、時間がかかる作業となっている。
【００２４】
本発明は、この点に鑑みてなされたものであり、２層の可撓性シートが相互に密着して構成されている袋において、それらの２層の可撓性シートを容易に引き離すことができる袋を提供することを目的とする。
【課題を解決するための手段】
【００２５】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００２６】
上記の目的を達成するため、本発明は、一枚または複数枚の可撓性シートからなり、前記一枚の可撓性シートを折ることにより、または、前記複数枚の可撓性シートを重ね合わせることにより、前記可撓性シート（５００１、５００２）が２層に密着している袋において、前記袋の開口部（５５００）を形成する前記可撓性シートの端縁において、２層に密着している前記可撓性シートの少なくとも一部が相互に非対称の形状に形成されていることを特徴とする袋を提供する。
【００２７】
本発明に係る袋（１００、３００）は、例えば、２層に密着している前記可撓性シート（５００１、５００２）のうちの一方の可撓性シートが他方の可撓性シートに対して突出した領域（１１０）を有するものとして構成することができる。
【００２８】
あるいは、本発明に係る袋（２００、３００）は、２層に密着している前記可撓性シート（５００１、５００２）のうちの一方の可撓性シートが他方の可撓性シートに対して切り欠いた領域（２１０）を有するものとして構成することができる。
【００２９】
さらに、本発明は、一枚または複数枚の可撓性シートからなり、前記一枚の可撓性シートを折ることにより、または、前記複数枚の可撓性シートを重ね合わせることにより、前記可撓性シートが２層に密着している袋において、前記袋の外側表面に、他の領域よりも摩擦係数が大きい滑り止め領域（５１０、５１１）が形成されていることを特徴とする袋（５００）を提供する。
【００３０】
前記滑り止め領域は、例えば、前記可撓性シートを熱処理した領域（５１０）から構成することができる。
【００３１】
前記滑り止め領域は、例えば、前記可撓性シートに凹凸を施した領域（５１１）から構成することができる。
【００３２】
前記滑り止め領域は、例えば、前記可撓性シートに前記可撓性シートの表面の粗度を高める塗料が塗布された領域（５１１）から構成することができる。
【００３３】
さらに、本発明は、一枚または複数枚の可撓性シートからなり、前記一枚の可撓性シートを折ることにより、または、前記複数枚の可撓性シートを重ね合わせることにより、前記可撓性シートが２層に密着している袋において、前記袋の内側表面に、静電気の発生を抑制する塗料が塗布された領域（６１０）が形成されていることを特徴とする袋（６００）を提供する。
【００３４】
さらに、本発明は、一枚または複数枚の可撓性シートからなり、前記一枚の可撓性シートを折ることにより、または、前記複数枚の可撓性シートを重ね合わせることにより、前記可撓性シートが２層に密着している袋において、２層に密着している前記可撓性シートのうちの一方の可撓性シートには、前記可撓性シートの一部を折り返した折り返し領域（７１０、７２０）が形成されていることを特徴とする袋（７００、７５０）を提供する。
【００３５】
さらに、本発明は、一枚または複数枚の可撓性シートからなり、前記一枚の可撓性シートを折ることにより、または、前記複数枚の可撓性シートを重ね合わせることにより、前記可撓性シートが２層に密着している袋であって、開口部を形成するための破断線が２層に密着している前記可撓性シートの双方に形成されている袋において、２層に密着している前記可撓性シートのうちの一方の可撓性シートに形成されている前記破断線（８１０）と他方の可撓性シートに形成されている前記破断線（８１１）とは少なくとも一部において相互に重なり合わないように形成されていることを特徴とする袋を提供する。
【００３６】
さらに、本発明は、一枚または複数枚の可撓性シートからなり、前記一枚の可撓性シートを折ることにより、または、前記複数枚の可撓性シートを重ね合わせることにより、前記可撓性シートが２層に密着している袋が破断線を介して連続的に形成されている袋の集合体であって、前記破断線が前記袋の開口部を形成するものである袋の集合体において、２層に密着している前記可撓性シートのうちの一方の可撓性シートに形成されている前記破断線（９１０）と他方の可撓性シートに形成されている前記破断線（９１１）とは少なくとも一部において相互に重なり合わないように形成されていることを特徴とする袋の集合体を提供する。
【発明の効果】
【００３７】
本発明に係る袋においては、袋の開口部を形成する可撓性シートの端縁において、２層に密着している可撓性シートの少なくとも一部が相互に非対称の形状に形成されている。例えば、一方の可撓性シートが他方の可撓性シートに対して突出した突出領域を有している。このため、可撓性シートの非対称の領域（例えば、突出領域）を指でつまみ、一方の可撓性シートを他方の可撓性シートに対して引っ張ることにより、容易に、相互に密着している２層の可撓性シートを引き離すことができる。従来のレジ袋においては、レジ袋を構成する２層の可撓性シートが相互に密着しているため、これら２層の可撓性シートを相互に引き離すことは極めて面倒であり、時間がかかる作業となっていたが、本発明に係る袋によれば、このような問題を解決することができる。
【００３８】
また、本発明に係る袋においては、袋の外側表面に、他の領域よりも摩擦係数が大きい滑り止め領域が形成されている。このため、ユーザーはこの滑り止め領域に指をかけることにより、大きな摩擦力を発生させることができるため、相互に重なり合っている２層の可撓性シートを容易に引き離すことができる。
【００３９】
また、本発明に係る袋においては、袋の内側表面に、静電気の発生を抑制する塗料が塗布された領域が形成されている。この領域により、２層の可撓性シート間における静電気の発生が抑制されるため、２層の可撓性シートを容易に引き離すことができる。
【００４０】
また、本発明に係る袋においては、２層に密着している可撓性シートのうちの一方の可撓性シートには、可撓性シートの一部を折り返した折り返し領域が形成されている。
【００４１】
ユーザーは、この折り返し領域を指で引っ張ることにより、２層に密着している可撓性シートを容易に引き離すことができる。
【００４２】
また、本発明に係る袋においては、２層に密着している可撓性シートのうちの一方の可撓性シートに形成されている破断線と他方の可撓性シートに形成されている破断線とは少なくとも一部において相互に重なり合わないように形成されている。
【００４３】
本発明に係る袋においては、二つの破断線が部分的に重なり合わないように形成されているため、破断線に沿って、２層の可撓性シートを破断すると、２層の可撓性シートの双方にはそれぞれ突出領域が形成される。このため、突出領域を指でつまんで引っ張ることにより、相互に密着している２層の可撓性シートを容易に引き離すことができる。
【００４４】
また、本発明に係る袋の集合体においては、２層に密着している可撓性シートのうちの一方の可撓性シートに形成されている破断線と他方の可撓性シートに形成されている破断線とは少なくとも一部において相互に重なり合わないように形成されている。
【００４５】
本発明に係る袋の集合体においては、各袋において二つの破断線が部分的に重なり合わないように形成されているため、破断線に沿って、２層の可撓性シートを破断すると、２層の可撓性シートの双方にはそれぞれ突出領域が形成される。このため、突出領域を指でつまんで引っ張ることにより、相互に密着している２層の可撓性シートを容易に引き離すことができる。
【発明を実施するための最良の形態】
【００４６】
（第一の実施形態）
図１は、本発明の第一の実施形態に係る袋１００の平面図である。
【００４７】
本実施形態に係る袋１００が図２１及び図２２に示した従来のレジ袋５０００と異なる点は、開口部５５００を規定する可撓性シート５００１、５００２の端縁において、相互に密着している２層の可撓性シート５００１、５００２の形状が少なくとも一部において対称になっていない点である。
【００４８】
すなわち、従来のレジ袋５０００においては、可撓性シート５００１、５００２にそれぞれ形成されている連結部５３００は相互に重なり合っており、相互に対称な形状に形成されている。
【００４９】
これに対して、本実施形態に係る袋１００においては、可撓性シート５００１側の連結部５３００には、可撓性シート５００２側の連結部５３００に対して横方向に突出しているほぼ矩形状の突出領域１１０を有している（なお、図１においては、可撓性シート５００１は図１の紙面に表されている側のシートであり、可撓性シート５００２はその裏側のシートである）。
【００５０】
図２（Ａ）は可撓性シート５００１側の連結部５３００の平面図であり、図２（Ｂ）は可撓性シート５００２側の連結部５３００の平面図である。
【００５１】
図２（Ｂ）に示した可撓性シート５００２側の連結部５３００は、図２１及び図２２に示した従来のレジ袋５０００の連結部５３００と同一の形状を有している。
【００５２】
これに対して、図２（Ａ）に示した可撓性シート５００１側の連結部５３００は、可撓性シート５００２側の連結部５３００よりも横方向に突出している矩形状の突出領域１１０（図２（Ａ）の破線で示す領域）を有している。
【００５３】
本実施形態に係る袋１００においては、２層に密着している可撓性シート５００１、５００２のうちの一方の可撓性シート５００１が他方の可撓性シート５００２に対して突出した突出領域１１０を有しているため、この突出領域１１０を指でつまみ、可撓性シート５００１を可撓性シート５００２に対して引っ張ることにより、容易に、相互に密着している可撓性シート５００１、５００２を引き離すことができる。
【００５４】
このため、図２１及び図２２に示した従来のレジ袋５０００においては、レジ袋５０００を構成する２層の可撓性シート５００１、５００２が相互に密着しているため、これら２層の可撓性シート５００１、５００２を相互に引き離すことは極めて面倒であり、時間がかかる作業となっていたが、本実施形態に係る袋１００によれば、このような問題を解決することができる。
【００５５】
なお、本実施形態に係る袋１００は上記のような構造に限定されるものではなく、種々の変更が可能である。
【００５６】
例えば、本実施形態に係る袋１００においては、可撓性シート５００１に形成される突出領域１１０はほぼ矩形状に形成されているが、突出領域１１０の形状は矩形状には限定されない。半円、半楕円、三角形その他任意の形状を取ることが可能である。
【００５７】
また、本実施形態に係る袋１００においては、突出領域１１０は連結部５３００から横方向に延びるように形成されているが、突出領域１１０が延びる方向も横方向には限定されない。突出領域１１０は任意の方向に延ばすことが可能である。
【００５８】
また、本実施形態に係る袋１００においては、突出領域１１０は連結部５３００に形成されているが、必ずしも連結部５３００に形成することは必要ではない。例えば、本体部５１００の上縁５１０１に突出領域１１０を形成することも可能である。あるいは、把手部５２００の内側の外周縁５２０１に突出領域１１０を形成することも可能である。
【００５９】
さらに、本実施形態に係る袋１００においては、突出領域１１０は一つのみ形成されているが、突出領域１１０の数は一つには限定されない。二つまたは三つ以上の突出領域１１０を形成することが可能である。複数の突出領域１１０を形成する場合、それらの全てを連結部５３００の外周縁に形成することは必ずしも必要ではなく、連結部５３００の外周縁、本体部５１００の上縁５１０１及び把手部５２００の内側の外周縁５２０１に集中して、あるいは、分散して形成することが可能である。すなわち、開口部５５００に連続するように形成される限りは、突出領域１１０は袋１００のいかなる位置にも形成することが可能である。
【００６０】
（第二の実施形態）
図３は、本発明の第二の実施形態に係る袋２００の平面図である。
【００６１】
本実施形態に係る袋２００が図２１及び図２２に示した従来のレジ袋５０００と異なる点は、第一の実施形態の場合と同様に、開口部５５００を規定する可撓性シート５００１、５００２の端縁において、相互に密着している２層の可撓性シート５００１、５００２の形状が少なくとも一部において対称になっていない点である。
【００６２】
すなわち、従来のレジ袋５０００においては、可撓性シート５００１、５００２にそれぞれ形成されている連結部５３００は相互に重なり合っており、相互に対称な形状に形成されている。
【００６３】
これに対して、本実施形態に係る袋１００においては、可撓性シート５００１側の連結部５３００には、可撓性シート５００２側の連結部５３００と比較して、切り欠いた領域である切り欠き領域２１０を有している点である。
【００６４】
図４は可撓性シート５００１側の連結部５３００（左側）及び可撓性シート５００２側の連結部５３００（右側）の平面図である。
【００６５】
図４から明らかであるように、可撓性シート５００１側の連結部５３００には切り欠き領域２１０（破線で示す領域）が形成されており、この切り欠き領域２１０において、可撓性シート５００２側の連結部５３００が露出している。
【００６６】
逆の見方をすれば、可撓性シート５００２側の連結部５３００においては、切り欠き領域２１０が第一の実施形態における突出領域１１０に対応しているとも言える。
【００６７】
本実施形態に係る袋２００によっても、上述の第一の実施形態に係る袋１００と同様の効果を得ることができる。
【００６８】
（第三の実施形態）
図５は、本発明の第三の実施形態に係る袋３００の平面図である。
【００６９】
本実施形態に係る袋３００が図２１及び図２２に示した従来のレジ袋５０００と異なる点は、第一及び第二の実施形態の場合と同様に、開口部５５００を規定する可撓性シート５００１、５００２の端縁において、相互に密着している２層の可撓性シート５００１、５００２の形状が少なくとも一部において対称になっていない点である。
【００７０】
すなわち、従来のレジ袋５０００においては、可撓性シート５００１、５００２にそれぞれ形成されている連結部５３００は相互に重なり合っており、相互に対称な形状に形成されている。
【００７１】
これに対して、本実施形態に係る袋３００においては、可撓性シート５００１側の連結部３０１と可撓性シート５００２側の連結部３０２とは同じ形状を有しているが、相互には全体が重なり合ってはおらず、横方向に相互にずれた状態で一部のみが重なり合っている。
【００７２】
このため、可撓性シート５００１側の連結部３０１と可撓性シート５００２側の連結部３０２とが相互に重なりあっている領域の左右には、第一の実施形態における突出領域１１０または第二の実施形態における切り欠き領域２１０が形成されていることになる。
【００７３】
本実施形態に係る袋３００によっても、上述の第一の実施形態に係る袋１００と同様の効果を得ることができる。
【００７４】
（第四の実施形態）
図６及び図７は、本発明の第四の実施形態に係る袋４００の平面図である。
【００７５】
本発明は、図１乃至図５に示した第一乃至第三の実施形態に係る袋１００、２００、３００とは別の形状の袋に対しても適用することが可能である。その一例を第四の実施形態として示す。
【００７６】
図６に示す袋４００は、ポリエチレンその他の樹脂からなり、一端に開口部４０１、他端に、熱圧着その他の方法により２層の可撓性シートが相互に接合された底部４０２を有している。さらに、袋４００の開口部４０１の下方には、長円形の開口部４０３が形成されており、開口部４０３の外縁と開口部４０１との間の領域４０４が把手として機能するようになっている。
【００７７】
袋４００に上述の第一の実施形態を適用する場合には、例えば、開口部４０１を規定する２層の可撓性シートの何れかあるいは双方に突出領域４１０を設けることができる。あるいは、突出領域４１０は開口部４０３の外周縁に形成することも可能である。
【００７８】
また、袋４００に上述の第二の実施形態を適用する場合には、例えば、開口部４０１を規定する２層の可撓性シートの何れかあるいは双方に切り欠き領域（図示せず）を設けることができる。あるいは、開口部４０２の外周縁に切り欠き領域を形成することも可能である。
【００７９】
袋４００に上述の第三の実施形態を適用する場合には、例えば、図７に示すように、２層の可撓性シートの一方の開口部４０３と２層の可撓性シートの他方の開口部４０３とを横方向に相互にずらした状態で形成する。
【００８０】
本実施形態に係る袋４００によっても、上述の第一の実施形態に係る袋１００と同様の効果を得ることができる。
【００８１】
（第五の実施形態）
図８は、本発明の第五の実施形態に係る袋５００の平面図である。
【００８２】
本実施形態に係る袋５００が図２１及び図２２に示した従来のレジ袋５０００と異なる点は、袋５００の外側表面に他の領域よりも摩擦係数が大きい滑り止め領域５１０が形成されている点である。
【００８３】
本実施形態に係る袋５００においては、滑り止め領域５１０は、一対の連結部５３００のそれぞれの外側表面に形成された熱処理ライン５１０として形成されている。
【００８４】
熱処理ライン５１０は、例えば、瞬間的に高熱を施すことにより、袋５００の材質である樹脂を線状に収縮させることにより、形成することができる。
【００８５】
滑り止め領域５１０としての熱処理ライン５１０は、熱処理ライン５１０以外の領域よりも高い摩擦係数を有する。このため、ユーザーはこの熱処理ライン５１０に指をかけることにより、大きな摩擦力を発生させることができるため、相互に重なり合っている２層の可撓性シート５００１、５００２を容易に引き離すことができる。
【００８６】
すなわち、本実施形態に係る袋５００によっても、第一の実施形態に係る袋１００と同様の効果を得ることができる。
【００８７】
本実施形態においては、熱処理ライン５１０は一対の連結部５３００の双方に形成されているが、一対の連結部５３００の何れか一方にのみ形成することも可能である。
【００８８】
また、熱処理ライン５１０を一対の連結部５３００の双方に形成する場合、形成する位置をずらして、一対の連結部５３００の各々において対称位置にならないように形成することも可能である。
【００８９】
また、形成する熱処理ライン５１０の数は１個には限定されない。一対の連結部５３００の各々に、あるいは、何れか一方に、必要に応じて、２個以上の熱処理ライン５１０を形成することが可能である。
【００９０】
また、本実施形態においては、連結部５３００に熱処理ライン５１０を形成したが、熱処理ライン５１０を形成する領域は連結部５３００には限定されない。例えば、本体部５１００の開口部５５００の近傍に開口部５５００に平行に形成することもできる。
【００９１】
本実施形態においては、滑り止め領域５１０を熱処理ライン５１０として形成したが、滑り止め領域５１０を一定の面積を有する領域として形成することも可能である。図９はその一例を示す。
【００９２】
図９に示す例においては、滑り止め領域５１０は、連結部５３００の外側表面に形成された長円形の領域５１１として形成されている。この長円形の領域５１１にはエンボス加工が施されており、領域５１１には凹凸が形成されている。このため、領域５１１の摩擦係数は領域５１１以外の領域の摩擦係数よりも大きくなっている。
【００９３】
領域５１１は他の領域よりも大きい摩擦係数を有するものである限り、どのような方法により形成することも可能である。例えば、エンボス加工を施す代わりに、可撓性シートの表面の粗度を高めるような塗料を領域５１１に塗布することも可能である。あるいは、熱処理ライン５１０を形成するのと同様にして、領域５１１の全体に熱処理を施すことにより、領域５１１の摩擦係数を高めることも可能である。
【００９４】
また、領域５１１の形状は長円形に限定されるものではなく、いかなる形状を有することもできる。
【００９５】
（第六の実施形態）
図１０は、本発明の第六の実施形態に係る袋６００の平面図であり、図１１は、図１０のＢ−Ｂ線における断面図である。
【００９６】
図８及び図９に示した第五の実施形態に係る袋５００においては、袋５００の外側表面に滑り止め領域５１０、５１１が形成されているが、本実施形態に係る袋６００においては、袋６００の内面側に滑り止め領域６１０が形成されている。
【００９７】
図１１に示すように、本実施形態に係る袋６００においては、連結部５３００の内面側に、滑り止め領域６１０として、静電気の発生を抑制する塗料が塗布された塗料層６１０が形成されている。塗料層６１０により、２層の可撓性シート５００１、５００２間における静電気の発生が抑制されるため、２層の可撓性シート５００１、５００２を容易に引き離すことができる。
【００９８】
すなわち、本実施形態に係る袋６００によっても、第一の実施形態に係る袋１００と同様の効果を得ることができる。
【００９９】
なお、本実施形態においては、塗料層６１０は連結部５３００において形成されているが、塗料層６１０を本体部５１００に形成することも可能であり、あるいは、連結部５３００と本体部５１００の双方に形成することも可能である。本体部５１００に形成する場合には、例えば、本体部５１００における開口部５５００の下方において開口部５５００に沿って形成することが好ましい。
【０１００】
（第七の実施形態）
図１２は、本発明の第七の実施形態に係る袋７００の平面図であり、図１３は、図１２のＣ−Ｃ線における断面図である。
【０１０１】
本実施形態に係る袋７００が図２１及び図２２に示した従来のレジ袋５０００と異なる点は、袋７００には、２層に密着している可撓性シート５００１、５００２のうちの一方の可撓性シートは、当該可撓性シートの一部を折り返することにより形成された折り返し領域７１０を有している点である。
【０１０２】
図１３に示すように、本実施形態に係る袋７００においては、２層に密着している可撓性シート５００１、５００２のうちの一方の可撓性シートの連結部５３００の先端が外側に折り返され、折り返し領域７１０が形成されている。
【０１０３】
ユーザーは、折り返し領域７１０を指で引っ張ることにより、２層に密着している可撓性シート５００１、５００２を容易に引き離すことができる。
【０１０４】
すなわち、本実施形態に係る袋７００によっても、第一の実施形態に係る袋１００と同様の効果を得ることができる。
【０１０５】
図１４は、本発明の第七の実施形態の変形例に係る袋７５０の平面図であり、図１５は、図１４のＤ−Ｄ線における断面図である。
【０１０６】
本変形例に係る袋７５０においては、折り返し領域７１０は連結部５３００の上端と下端との途中に形成されている。すなわち、２層に密着している可撓性シート５００１、５００２のうちの一方の可撓性シート５００１は他方の可撓性シート５００２よりも所定の長さだけ長く形成されており、その所定の長さの分を用いて折り返し領域７１０が形成されている。このため、可撓性シート５００１側の連結部５３００と可撓性シート５００２側の連結部５３００とは、図１４の平面図に示すように、上方から見ると、全体的に相互に重なり合っている。
【０１０７】
本変形例に係る袋７５０によっても、第七の実施形態に係る袋７００と同様の効果を得ることができる。
【０１０８】
（第八の実施形態）
図１６は、本発明の第八の実施形態に係る袋８００の平面図である。
【０１０９】
本実施形態に係る袋８００は、一枚または複数枚の可撓性シートからなり、その一枚の可撓性シートを折ることにより、または、複数枚の可撓性シートを重ね合わせることにより、可撓性シートが２層に密着している袋として構成されており、開口部を形成するための破断線８１０、８１１が２層に密着している可撓性シートの双方に形成されている。
【０１１０】
すなわち、本実施形態に係る袋８００は破断線８１０、８１１を間に挟んで、本体部分８２０と、タグ部分８３０と、を備えており、破断線８１０、８１１に沿って、２層の可撓性シートを破断することにより、本体部分８２０とタグ部分８３０との間に開口部が形成され、本体部分８２０の中に収容されている物（例えば、菓子その他の食品）を取り出すことができる。開口部を形成した後においては、タグ部分８３０は不要物として廃棄される。
【０１１１】
本実施形態に係る袋８００においては、２層に密着している可撓性シートのうちの一方の可撓性シートに形成されている破断線８１０と他方の可撓性シートに形成されている破断線８１１とは少なくとも一部において相互に重なり合わないように形成されている。
【０１１２】
すなわち、図１６に示すように、破断線８１０はその一部に半円形の破断線８１０Ａを含み、破断線８１１はその一部に半円形の破断線８１１Ａを含んでおり、破断線８１０Ａ及び８１１Ａは相互に重なり合わないように位置している。
【０１１３】
本実施形態に係る袋８００においては、このように二つの破断線８１０、８１１が部分的に重なり合わないように形成されているため、破断線８１０、８１１に沿って、２層の可撓性シートを破断すると、２層の可撓性シートの一方には半円形の突出領域（半円形の破断線８１０Ａにより規定される領域）が形成され、他方には半円形の突出領域（半円形の破断線８１１Ａにより規定される領域）が形成される。
【０１１４】
このため、上述の第一の実施形態の場合と同様に、突出領域を指でつまんで引っ張ることにより、相互に密着している２層の可撓性シートを容易に引き離すことができる。
【０１１５】
特に、真空パックされている食品を収納している袋においては、２層の可撓性シートが強固に密着しているため、２層の可撓性シートを引き離すことが極めて難しい。このため、本実施形態に係る袋８００は、真空パックされている食品を収納している袋に好適に適用することができる。
【０１１６】
なお、突出領域を規定する破断線８１０Ａ、８１１Ａの形状は半円形に限定されるものではなく、任意の形状をとることができる。
【０１１７】
また、本実施形態に係る袋８００においては、破断線８１０Ａ、８１１Ａにより規定される突出領域は同一の方向を向いているが（図１６の上方向）、それぞれ異なる方向を向くように形成することもできる（例えば、上方向と下方向）。
【０１１８】
また、本実施形態に係る袋８００においては、破断線８１０Ａ、８１１Ａにより規定される突出領域は全く重なり合っていないが、図１７に示すように、突出領域が部分的に重なり合うように形成することも可能である。
【０１１９】
また、本実施形態に係る袋８００においては、破断線８１０Ａ、８１１Ａにより規定される突出領域は各可撓性シートについて１個ずつ形成されているが、突出領域の個数は１個には限定されない。各可撓性シートに２個以上の突出領域を形成するように、破断線８１０、８１１を形成することも可能である。
【０１２０】
なお、本実施形態に係る袋８００は、食品用の袋（特に、真空パック用の袋）に適用することができる他、例えば、雨の日に店頭に出される樹脂製の傘袋にも適用することができる。
【０１２１】
図１８は、本発明の第八の実施形態の変形例に係る袋８５０の平面図である。
【０１２２】
図１６及び図１７に示した袋８００においては、二つの破断線８１０、８１１はその大部分において相互に重なり合っているが、二つの破断線８１０、８１１が全く重なり合わないように形成することも可能である。
【０１２３】
図１８に示す袋８５０においては、２層に密着している可撓性シートのうちの一方の可撓性シートに形成されている破断線８１０は切り口８２０から斜め上方に延び、他方の可撓性シートに形成されている破断線８１１は切り口８２０から斜め下方に延びている。このため、二つの破断線８１０、８１１は全く重なり合っていない。
【０１２４】
図１８に示した袋８５０によっても、図１６及び図１７に示した袋８００と同様の効果を得ることができる。
【０１２５】
（第九の実施形態）
図１９は、本発明の第九の実施形態に係る袋ロール９００の一部を示す平面図であり、図２０は、袋ロール９００を構成する単体としての袋９５０の平面図である。
【０１２６】
本実施形態に係る袋ロール９００は図２３に示した袋ロール６５００に対応するものである。
【０１２７】
図１９及び図２０に示すように、本実施形態に係る袋ロール９００を構成する単体としての各袋９５０においては、２層に密着している可撓性シートのうちの一方の可撓性シートに形成されている破断線９１０と他方の可撓性シートに形成されている破断線９１１とは少なくとも一部において相互に重なり合わないように形成されている。
【０１２８】
すなわち、図１９に示すように、破断線９１０はその一部に半円形の破断線９１０Ａを含み、破断線９１１はその一部に半円形の破断線９１１Ａを含んでおり、破断線９１０Ａ及び９１１Ａは部分的に相互に重なり合うに位置している。
【０１２９】
本実施形態に係る袋ロール９００の各袋９５０においては、このように二つの破断線９１０、９１１が部分的に重なり合わないように形成されているため、破断線９１０、９１１に沿って、２層の可撓性シートを破断すると、２層の可撓性シートの一方には半円形の突出領域（半円形の破断線９１０Ａにより規定される領域）が形成され、他方には半円形の突出領域（半円形の破断線９１０Ｂにより規定される領域）が形成される。
【０１３０】
このため、上述の第一の実施形態の場合と同様に、突出領域を指でつまんで引っ張ることにより、相互に密着している２層の可撓性シートを容易に引き離すことができる。
【０１３１】
なお、突出領域を規定する破断線９１０Ａ、９１１Ａの形状は半円形に限定されるものではなく、任意の形状をとることができる。
【０１３２】
また、本実施形態においては、破断線９１０Ａ、９１１Ａにより規定される突出領域は同一の方向を向いているが（図１９の上方向）、それぞれ異なる方向を向くように形成することもできる（例えば、上方向と下方向）。
【０１３３】
また、本実施形態に係る袋ロール９００においては、破断線９１０Ａ、９１１Ａにより規定される突出領域が部分的に重なりあっているが、突出領域が全く重なり合わないように形成することも可能である。
【０１３４】
また、本実施形態に係る袋ロール９００においては、破断線９１０Ａ、９１１Ａにより規定される突出領域は各可撓性シートについて１個ずつ形成されているが、突出領域の個数は１個には限定されない。各可撓性シートに２個以上の突出領域を形成するように、破断線９１０、９１１を形成することも可能である。
【図面の簡単な説明】
【０１３５】
【図１】本発明の第一の実施形態に係る袋の平面図である。
【図２】図２（Ａ）は、本発明の第一の実施形態に係る袋における一方の可撓性シート側の連結部の平面図であり、図２（Ｂ）は他方の可撓性シート側の連結部の平面図である。
【図３】本発明の第二の実施形態に係る袋の平面図である。
【図４】図４は、本発明の第二の実施形態に係る袋における一方の可撓性シート側の連結部（左側）及び他方の可撓性シート側の連結部（右側）の平面図である。
【図５】本発明の第三の実施形態に係る袋の平面図である。
【図６】本発明の第四の実施形態に係る袋の平面図である。
【図７】本発明の第四の実施形態に係る袋の平面図である。
【図８】本発明の第五の実施形態に係る袋の平面図である。
【図９】本発明の第五の実施形態の変形例に係る袋の平面図である。
【図１０】本発明の第六の実施形態に係る袋の平面図である。
【図１１】図１０のＢ−Ｂ線における断面図である。
【図１２】本発明の第七の実施形態に係る袋７００の平面図である。
【図１３】図１２のＣ−Ｃ線における断面図である。
【図１４】本発明の第七の実施形態の変形例に係る袋の平面図である。
【図１５】図１４のＤ−Ｄ線における断面図である。
【図１６】本発明の第八の実施形態に係る袋の平面図である。
【図１７】本発明の第八の実施形態の変形例に係る袋の平面図である。
【図１８】本発明の第八の実施形態の変形例に係る袋の平面図である。
【図１９】本発明の第九の実施形態に係る袋ロールの一部を示す平面図である。
【図２０】本発明の第九の実施形態に係る袋ロールを構成する単体としての袋の平面図である。
【図２１】従来のレジ袋の平面図である。
【図２２】図２１のＡ−Ａ線における断面図である。
【図２３】図２１に示したレジ袋に類似した構造を有する袋の集合体としての袋ロールの斜視図である。
【図２４】図２３に示した袋ロールにおける単体としての袋の平面図である。
【符号の説明】
【０１３６】
１００  本発明の第一の実施形態に係る袋
１１０  突出領域
２００  本発明の第二の実施形態に係る袋
２１０  切り欠き領域
３００  本発明の第三の実施形態に係る袋
３０１  連結部
３０２  連結部
４００  本発明の第四の実施形態に係る袋
４１０  突出領域
５００  本発明の第五の実施形態に係る袋
５１０、５１１  滑り止め領域
６００  本発明の第六の実施形態に係る袋
６１０  塗料層
７００  本発明の第七の実施形態に係る袋
７１０  折り返し領域
７５０  本発明の第七の実施形態の変形例に係る袋
７２０  折り返し領域
８００  本発明の第八の実施形態に係る袋
８１０、８１１  破断線
８５０  本発明の第八の実施形態の変形例に係る袋
９００  本発明の第九の実施形態に係る袋ロール
９５０  袋ロールにおける単体としての袋
【図１】
2007204069.tif 000003
【図２】
2007204069.tif 000004
【図３】
2007204069.tif 000005
【図４】
2007204069.tif 000006
【図５】
2007204069.tif 000007
【図６】
2007204069.tif 000008
【図７】
2007204069.tif 000009
【図８】
2007204069.tif 000010
【図９】
2007204069.tif 000011
【図１０】
2007204069.tif 000012
【図１１】
2007204069.tif 000013
【図１２】
2007204069.tif 000014
【図１３】
2007204069.tif 000015
【図１４】
2007204069.tif 000016
【図１５】
2007204069.tif 000017
【図１６】
2007204069.tif 000018
【図１７】
2007204069.tif 000019
【図１８】
2007204069.tif 000020
【図１９】
2007204069.tif 000021
【図２０】
2007204069.tif 000022
【図２１】
2007204069.tif 000023
【図２２】
2007204069.tif 000024
【図２３】
2007204069.tif 000025
【図２４】
2007204069.tif 000026